(57)【要約】  フレームを含むメガネが提供される。フレームには、遠用視力部分と近用視力部分とを含む第１累進屈折力レンズが含まれ、該第１累進屈折力レンズのジオプター度数と、ベースインプリズム量とは遠用視力部分から近用視力部分にかけて漸増される。前記フレームには、遠用視力部分と近用視力部分とを含む第２累進屈折力レンズが含まれ、該第２累進屈折力レンズのジオプター度数と、ベースインプリズム量とは遠用視力部分から近用視力部分にかけて漸増される。第１累進屈折力レンズのベースインプリズム量は第２累進屈折力レンズのベースインプリズム量とは異なり、ベースインプリズム量は約０〜１．５ジオプターの範囲で変化され得る。
2008529100.tif 000002
【特許請求の範囲】
【請求項１】
遠用視力部分と、近用視力部分とを含み、ジオプター度数が、遠用視力部分から近用視力部分にかけて漸増する累進屈折力レンズであって、
レンズがベースインプリズムを含み、該ベースインプリズム量が前記遠用視力部分から近用視力部分にかけて増大する累進屈折力レンズ。
【請求項２】
ベースインプリズム量が約０〜１．５ジオプター度数の範囲で変化する請求項１の累進屈折力レンズ。
【請求項３】
ベースインプリズムが、レンズ厚を、遠用視力部分から近用視力部分にかけて異なる量において変化させることにより誘起される請求項１の累進屈折力レンズ。
【請求項４】
ベースインプリズムが、レンズの光学中心を、遠用視力部分から近用視力部分にかけて異なる量においてディセンタさせることにより誘起される請求項１の累進屈折力レンズ。
【請求項５】
遠用視力部分と、中間視力部分と、近用視力部分とを含む累進屈折力レンズであって、
中間視力部分のジオプター度数とベースインプリズム量とが、遠用視力部分と近用視力部分との間で連続的に変化する累進屈折力レンズ。
【請求項６】
ベースインプリズム量が約０〜１．５ジオプター度数の範囲で変化する請求項５の累進屈折力レンズ。
【請求項７】
ベースインプリズムが、中間視力部分のレンズ厚を、遠用視力部分と、近用視力部分との間で異なる量において変化させることにより誘起される請求項５の累進屈折力レンズ。
【請求項８】
ベースインプリズムが、中間視力部分のレンズの光学中心を、遠用視力部分と、近用視力部分との間で異なる量においてディセンタさせることにより誘起される請求項５の累進屈折力レンズ。
【請求項９】
メガネであって、
フレームと、
該フレーム内にあって遠用視力部分と、近用視力部分と、を含む第１累進屈折力レンズにして、ジオプター度数とベースインプリズム量とが、遠用視力部分から近用視力部分にかけて漸増する第１累進屈折力レンズと、
前記フレーム内にあって遠用視力部分と、近用視力部分と、を含む第２累進屈折力レンズにして、ジオプター度数とベースインプリズム量とが、遠用視力部分から近用視力部分にかけて漸増する第２累進屈折力レンズと、
を含むメガネ。
【請求項１０】
第１累進屈折力レンズと、第２累進屈折力レンズとのベースインプリズム量が約０〜１．５ジオプター度数の範囲で変化する請求項９のメガネ。
【請求項１１】
第１累進屈折力レンズと、第２累進屈折力レンズとのベースインプリズム量が、レンズ厚を遠用視力部分と、近用視力部分との間で異なる量において変化させることにより誘起される請求項９のメガネ。
【請求項１２】
第１累進屈折力レンズと、第２累進屈折力レンズと、の各ベースインプリズム量が、レンズの光学中心を、遠用視力部分と、近用視力部分との間で異なる量においてディセンタさせることにより誘起される請求項９のメガネ。
【請求項１３】
第１累進屈折力レンズのベースインプリズム量が第２累進屈折力レンズのベースインプリズム量と異なる請求項９のメガネ。
【請求項１４】
遠用視力部分と、中間視力部分と、近用視力部分と、を含む累進屈折力レンズであって、
中間視力部分のジオプター度数が、遠用視力部分と、近用視力部分との間で連続的に変化し、近用視力部分のジオプター度数が遠用視力部分のジオプター度数よりも大きい累進屈折力レンズ。
【請求項１５】
近用視力部分と遠用視力部分との間のベースインプリズム量の差が少なくとも０．５ジオプターである請求項１４の累進屈折力レンズ。
【請求項１６】
ベースインプリズム量が約０〜１．５ジオプターの範囲で変化する請求項１４の累進屈折力レンズ。
【請求項１７】
ベースインプリズム量が約０〜３ジオプターの範囲で変化する請求項１４の累進屈折力レンズ。
【請求項１８】
遠用視力部分と、近用視力部分と、を含む二重焦点レンズであって、
近用視力部分のジオプター度数が遠用視力部分のジオプター度数よりも大きく、近用視力部分のベースインプリズム量が遠用視力部分のベースインプリズム量よりも大きい二重焦点レンズ。
【請求項１９】
近用視力部分と遠用視力部分との間のベースインプリズム量の差が少なくとも０．５ジオプターである請求項１８の二重焦点レンズ。
【請求項２０】
ベースインプリズム量が約０〜１．５ジオプターの範囲で変化する請求項１８の二重焦点レンズ。
【請求項２１】
ベースインプリズム量が約０〜３ジオプターの範囲で変化する請求項１８の二重焦点レンズ。
【発明の詳細な説明】
【技術分野】
【０００１】
本件出願は２００５年２月３日に出願した米国特許出願番号第６０/６４９，４８７号の優先権を主張するものであり、ベースインプリズム付きの眼用多焦点レンズに関する。
【背景技術】
【０００２】
正常視力を持つ人は異なる距離に対して焦点を変化させることができる。遠方物体への合焦（遠用視力と称する）及び近方物体への合焦（近用視力と称する）が何れも可能なことが理想的である。眼の光学系では遠用及び近用の両視力での合焦を多数の筋肉を使用して行い、それらの筋肉が、遠用視力と近用視力との移行時の焦点調節を可能としている。遠用視力から近用視力への焦点変化には種々の反応が関与されるが、そうした反応には、像の明瞭化、眼球の寄せ広げ、瞳孔サイズの変化、が含まれる。例えば近用視力時に眼球の広がりが足りないと物が二重に見えるようになる。
【０００３】
加齢に伴い眼球のレンズの柔軟性が失われ、近用視力が自然に低下すると老視になるが、老視は、屈折異常を補正するレンズを有し、眼球に無理な合焦を強いない“老眼”鏡を装用することで補償され得る。老視ではしばしば、遠用視力ではなくむしろ近用視力を補正する必要がある。遠近両用メガネを使用すればメガネを頻繁に掛け外す必要が無くなり、距離の異なる物も見ることができる。遠近両用メガネは特に、眼球が遠用視力から近用視力に焦点を正しく変化させることができなくなった場合に使用するのが一般的である。累進屈折力レンズ（ＰＡＬｓ）は、遠用視力部分と、ジオプター度数が近用視力部分方向に累進的に連続変化する円滑部分とを含み、ジオプター度数が変化する部分間には目に見える線又はエッジが無い。
【０００４】
遠近両用メガネを使用中に遠用視力部分から近用視力部分に移行するとジオプター度数が増大するので、眼球はメガネを掛けない場合に必要とされる合焦動作が不要となり調節性輻輳量が減少する。つまり眼球が必要量の寄り眼をしようとしなくなるが、これは眼精疲労を招く原因となる。なぜなら、眼球はその後は融像性輻輳を補助的に用いて近用の輻輳を行うからである。
【発明の開示】
【発明が解決しようとする課題】
【０００５】
上述した従来技術上の問題の一つ以上を新規且つ簡易な態様において解決することである。
【課題を解決するための手段】
【０００６】
本発明によれば、ベースインプリズムを含む多焦点型の眼用レンズが提供される。
本発明の一様相によれば、遠用視力部分と近用視力部分とを含み、ジオプター度数が遠用視力部分から近用視力部分にかけて漸増する改良された累進屈折力レンズが提供される。改良部分には、遠用視力部分から近用視力部分にかけて増大する、レンズにおけるベースインプリズムが含まれる。
本発明の特徴は、ベースインプリズムが約０から１．５ジオプターの範囲で変化することである。
本発明の他の特徴は、遠用視力部分から近用視力部分にかけてのレンズ厚の変化量を異ならせることによりベースインプリズムを誘起させることである。
本発明の更に他の特徴は、遠用視力部分から近用視力部分にかけてのレンズの光学中心を変化量下にずらすことによりベースインプリズムを誘起させることである。
【０００７】
本発明の他の様相によれば、遠用視力部分と、中間視力部分と、近用視力部分とを含む累進屈折力レンズが提供される。遠用視力部分と近用視力部分との間の中間部分ではジオプター度数及びベースインプリズムは連続的に変化する。
本発明の他の実施例によれば、フレームを含むメガネが提供される。フレーム内の第１累進屈折力レンズ（以下、第１レンズ）が遠用視力部分と近用視力部分とを含み、ベースインプリズムのジオプター度数が遠用視力部分から近用視力部分にかけて漸増され、フレーム内の第２累進屈折力レンズ（以下、第２レンズ）が遠用視力部分と近用視力部分とを含み、ベースインプリズムのジオプター度数が遠用視力部分から近用視力部分にかけて漸増される。
【０００８】
本発明の特徴は、第１レンズのベースインプリズムが第２レンズのベースインプリズムと異なることである。
本発明の更に他の様相は、遠用視力部分と、中間視力部分と、近用視力部分とと含む累進屈折力レンズが提供される。本レンズでは、遠用視力部分と近用視力部分との間の中間視力部分のジオプター度数は連続的に変化し、近用視力部分のベースインプリズムは遠用視力部分のそれよりも大きい。
本発明の更に他の様相によれば、遠用視力部分及び近用視力部分を含む二重焦点レンズが提供される。本レンズでは近用視力部分のジオプター度数は遠用視力部分のそれよりも大きく、近用視力部分のベースインプリズムは遠用視力部分のそれよりも大きい。
【発明の効果】
【０００９】
従来技術上の問題の一つ以上を新規且つ簡易な態様において解決する、ベースインプリズムを含む多焦点型の眼用レンズが提供される。
【発明を実施するための最良の形態】
【００１０】
本発明は、多焦点型の眼用レンズにベースインプリズムを加入して、近用視力部分での要求輻輳量を低減させることに関する。加入したベースインプリズムは、近用視力支援用に設計したレンズ部分を通して見る場合の必要輻輳量を減少させることができる。詳しく説明すると、プリズム効果の度合いが、遠用視力矯正部分から近用視力矯正部分にかけて変化する。
【００１１】
本発明によれば、累進屈折力レンズの、遠用視力部分から近用視力部分にかけて連続的に変化する加入度数（下記に説明）に、遠用視力部分から近用視力部分にかけて増大するベースインプリズムが加入される。これにより、眼の、近用視力部分での輻輳量が低減されるので眼の負担が減少する。ベースインプリズム量は、加入度数と、必要とされる望ましい輻輳減少量とによって変化するが、通常はレンズ当たり０．５０ジオプターに等しいか、又はそれ以上となろう。本発明の例示的な実施例では、ベースインプリズム量はレンズ当たり約０から１．５の範囲内で変化するが、この範囲は例えば０〜３ジオプターのオーダーの如くもっと広いものであり得る。
【００１２】
累進屈折力レンズは、レンズの片面或いは両面に配置する、又はレンズ自身の内部に配置した少なくとも一つの累進付加度数面を有している。図１を参照するに、累進屈折力レンズ１０がフレーム１２の内側に例示され、各部分の分離状態が点線で表示されている。詳しく説明すると、遠用視力部分１４が、中間視力部分１８によって近用視力部分１６から分離されている。これらの各部分は非球面の一つの累進面によって画定され、遠用視力部分１４と近用視力部分１６とは、ジオプター度数が遠用視力部分１４から近用視力部分１６にかけて円滑且つ連続的に増大変化する中間視力部分１８により、この一つの累進面の中で連結されている。遠用視力部分１４では、ジオプターで表す遠用視力矯正量を用いる。“加入度数”とは、近用視力部分１６及び中間視力部分１８に加入するジオプター度数の、遠用視力の矯正ジオプター度数に対する差分を言う。本発明によれば、累進屈折力レンズ１０にベースインプリズムが付加される。ベースインプリズムとは、光が屈折して像がプリズムの頂点方向にずれることである。本発明によれば、近用視力部分１６のベースインプリズム量は遠用視力部分のそれよりも大きく、また中間視力部分１８のベースインプリズム量は遠用視力部分１４と近用視力部分１６との間で漸増する。
【００１３】
図２を参照するに、従来のメガネ２０が例示され、第１累進屈折力レンズ２４と、第２累進屈折力レンズ２６とを支持するフレーム２２を含んでいる。既知の如く、各レンズは必要な遠用視力矯正のための基準ジオプター度数を有し得る。記号Ａ、Ｂ、Ｃ、Ｄ、Ｅで参照される各位置は、以下の如き累進面により提供される加入度数及び水平プリズムを表す。
位置      加入度数    水平プリズム
Ａ    ＋０．００      無視可能
Ｂ    ＋０．５０      無視可能
Ｃ    ＋１．００      無視可能
Ｄ    ＋１．５０      無視可能
Ｅ    ＋２．００      無視可能
【００１４】
図３には図２と同じメガネが例示され、図３Ａ、３Ｂ、３Ｃ、３Ｄには、各断面のレンズ厚が一様であることにより、レンズの二重焦点の加入度数の変化に対するベースインプリズム加入が無い状態が略示される。
ある累進屈折力レンズではレンズ前面側は丸味付けされ且つ非球面曲線を有し、非球面曲線のカーブはレンズ前面側の下部位置できつくされる。加入度数が異なる場合は別の型を使用する。レンズ後面側も丸味付けされ、必要な遠用視力矯正を行うべく加工される。かくして、任意部分の矯正度数は基準矯正度数と加入度数とを組み合わせたものとなる。
【００１５】
こうした代表的なレンズの場合、レンズ前面側の上部から下部にかけての実際の曲率は変化する。これはレンズ前面側に非球面曲線を採用することが原因であるが、この様相は図３Ａ〜３Ｄの断面には例示されていない。これらの断面では非球面曲線はむしろ、ある断面から次の断面にかけてベースインプリズムが加入されないことを特に例示するために無視されている。
図４を参照するに、従来のメガネ３０が例示され、何れも本発明に従うものである第１累進屈折力レンズ３４と、第２累進屈折力レンズ３６とを支持するフレーム３２を含んでいる。既知の如く、各レンズは必要な遠用視力矯正のための基準ジオプター度数を有し得る。記号Ｆ、Ｇ、Ｈ、Ｉ、Ｊで参照される各位置は、以下の如き累進面により提供される加入度数及び水平プリズムを表す。
位置      加入度数        水平プリズム
Ｆ    ＋０．００      ０．００ベースイン
Ｇ    ＋０．５０      ０．２５ベースイン
Ｈ    ＋１．００      ０．７５ベースイン
Ｉ    ＋１．５０      １．００ベースイン
Ｊ    ＋２．００      １．５０ベースイン
【００１６】
図５には図４と同じメガネ３０が例示され、図５Ａ、５Ｂ、５Ｃ、５Ｄには、レンズの二重焦点の加入度数の変化に対してベースインプリズムが加入される状態が略示されている。先と同様、これらの断面では非球面曲線はむしろ、ある断面から次の断面にかけてベースインプリズムが加入されることを特に例示するために無視されている。
これらの断面図５Ａ、５Ｂ、５Ｃ、５Ｄは特に、レンズの一側部に加入される曲率が増大してベースインプリズムが増大し、従ってレンズ側部の厚みが、レンズの後面側ではあるがレンズ下方側に行くに従い増大する状況を略示している。ベースインプリズムは、必ずしも例示されたように曲率を変化させることによって加入されなくとも良い。図５Ａ〜５Ｄの曲率変化は、これを図３Ａ〜３Ｄのものと比較することで漸増するベースインプリズムが例示されるように略示されたものである。あるいはベースインプリズムは、レンズの光学中心を、レンズ厚を増大させるのではなくディセンタ（ｄｅｃｅｎｔｅｒ）させて生じさせたプリズムにより誘起させ得る。
第１累進屈折力レンズ３４と、第２累進屈折力レンズ３６とにおけるベースインプリズム加入量は同一で良いが、異ならせても良い。
【００１７】
図６には、図２〜図４に示す各レンズの効果で比較したベースインプリズムの効果が例示される。詳しく説明するとレンズ４２を、その近用視力部分を使用して点４４に合焦する位置で夫々の眼球４０の前方に一枚ずつ位置決めした。点４４の位置で合致するライン４６は正常な近方輻輳を伴う眼球方向を表すが、これは従来の累進屈折力レンズを通した場合の物の見え方を示す。点４４の位置に合致しないライン４８は、ベースインプリズムを眼球４０の前方に配置した場合の眼球方向を示す。この場合の眼球は、それ程輻輳させなくとも点４４位置の同じ物体が見えるため、矢印で表すようにもっと外側の位置に回転している。ベースインプリズムはむしろ、眼球がライン４８と整列する間は像を撓ませ、レンズ４２越しに点４４が見えるように作用する。このようなプリズム矯正によりユーザーは、眼球を輻輳、つまり寄り眼にはしていないのに寄り眼にしたように思わされる。
【００１８】
本発明に従うレンズは、眼用レンズ製造に好適な任意の従来方法及び既知の全ての材料を用いて作製することができる。また、レンズは、これに限定しないが、研削、注型、積層、表面注型、熱成形、またはそれらの組み合わせを含む任意の好適な技法により製造され得る。
以上、本発明を実施例を参照して説明したが、本発明の内で種々の変更をなし得ることを理解されたい。
【図面の簡単な説明】
【００１９】
【図１】本発明に従う、累進屈折力レンズ形態の眼用多焦点レンズを含む、本発明に従うメガネの部分正面図である。
【図２】従来の累進屈折力レンズを含むメガネの正面図である。
【図３】図２と類似の、メガネの正面図である。
【図３Ａ】図３の線３Ａ−３Ａに沿った断面図である。
【図３Ｂ】図３の線３Ｂ−３Ｂに沿った断面図である。
【図３Ｃ】図３の線３Ｃ−３Ｃに沿った断面図である。
【図３Ｄ】図３の線３Ｄ−３Ｄに沿った断面図である。
【図４】本発明に従う累進屈折力レンズを含むメガネの正面図である。
【図５】図４と類似の、メガネの正面図である。
【図５Ａ】図５の線５Ａ−５Ａに沿った断面図である。
【図５Ｂ】図５の線５Ｂ−５Ｂに沿った断面図である。
【図５Ｃ】図５の線５Ｃ−５Ｃに沿った断面図である。
【図５Ｄ】図５の線５Ｄ−５Ｄに沿った断面図である。
【図６】図２のレンズを使用する場合と、図４のレンズを使用する場合との差異を一般化して例示するダイヤグラム図である。
【符号の説明】
【００２０】
１０  累進屈折力レンズ
１２  フレーム
１４  遠用視力部分
１６  近用視力部分
１８  中間視力部分
２０、３０  メガネ
２２  フレーム
２４、３４  第１累進屈折力レンズ
２６、３６  第２累進屈折力レンズ
４０  眼球
４２  レンズ
４４  点
４６、４６  ライン
【図１】
2008529100.tif 000003
【図２】
2008529100.tif 000004
【図３】
2008529100.tif 000005
【図３Ａ】
2008529100.tif 000006
【図３Ｂ】
2008529100.tif 000007
【図３Ｃ】
2008529100.tif 000008
【図３Ｄ】
2008529100.tif 000009
【図４】
2008529100.tif 000010
【図５】
2008529100.tif 000011
【図５Ａ】
2008529100.tif 000012
【図５Ｂ】
2008529100.tif 000013
【図５Ｃ】
2008529100.tif 000014
【図５Ｄ】
2008529100.tif 000015
【図６】
2008529100.tif 000016
【国際調査報告】
2008529100.tif 000017
2008529100.tif 000018